(57)【要約】【課題】被験者に自在に注入する複数種類の薬液の逆流を防止できる薬液注入装置を提供する。【解決手段】被験者と複数のシリンジ２０１，２０２とを被験者チューブ２２３と複数のシリンジチューブ２２１，２２２とで連結するが、複数のシリンジ２０１，２０２の１個から被験者に薬液を注入するときは、他のシリンジ２０２，２０１に連結されているシリンジチューブ２２２，２２１は遮断するので、シリンジ２０１，２０２の１個から被験者に注入される薬液が他のシリンジ２０２，２０１に逆流することがない。【選択図】　図１
2004065736.tif 000002
【特許請求の範囲】
【請求項１】
シリンダ部材にピストン部材がスライド自在に挿入されているシリンジから薬液を被験者に注入させる薬液注入装置であって、
前記被験者に先端が連結される被験者チューブと、
複数の前記シリンジに末端が個々に連結される複数のシリンジチューブと、
前記被験者チューブの末端と複数の前記シリンジチューブの先端とを連結しているチューブ連結手段と、
複数の前記シリンジを着脱自在に保持するシリンジ保持部材と、
前記シリンダ部材と前記ピストン部材とを相対移動させて複数の前記シリンジに前記薬液の注入を個々に実行させる複数のシリンジ駆動機構と、
複数の前記シリンジチューブを個々に開閉自在に遮断する複数のチューブ遮断機構と、
複数の前記チューブ遮断機構と複数の前記シリンジ駆動機構との動作を連動させて１個のみ連通させる前記シリンジチューブと１個のみ駆動する前記シリンジとを対応させる連動制御手段と、
を有している薬液注入装置。
【請求項２】
前記シリンジと前記シリンジチューブと前記シリンジ駆動機構と前記チューブ遮断機構との各々の個数が２個であり、
２個の前記チューブ遮断機構の開閉動作を連動させて相反させる開閉連動機構を有している請求項１に記載の薬液注入装置。
【請求項３】
第１の前記チューブ遮断機構が、第１の前記シリンジチューブを押圧する位置に変位自在に配置されている第１押圧部材と、この第１押圧部材に第１の前記シリンジチューブを介して対向配置されている第１保持部材と、を有しており、
第２の前記チューブ遮断機構が、第２の前記シリンジチューブを押圧する位置に変位自在に配置されている第２押圧部材と、この第２押圧部材に第２の前記シリンジチューブを介して対向配置されている第２保持部材と、を有しており、
前記開閉連動機構が、前記第１押圧部材と前記第２押圧部材とが一体に形成されていてスライド自在に支持されている押圧スライダ部材を有している請求項２に記載の薬液注入装置。
【請求項４】
第１の前記チューブ遮断機構が、第１の前記シリンジチューブを押圧する位置に変位自在に配置されている第１押圧部材と、この第１押圧部材に第１の前記シリンジチューブを介して対向配置されている第１保持部材と、を有しており、
第２の前記チューブ遮断機構が、第２の前記シリンジチューブを押圧する位置に変位自在に配置されている第２押圧部材と、この第２押圧部材に第２の前記シリンジチューブを介して対向配置されている第２保持部材と、を有しており、
前記開閉連動機構が、前記第１押圧部材と前記第２押圧部材とが一体に形成されていて回動自在に軸支されている押圧回動部材を有している請求項２に記載の薬液注入装置。
【請求項５】
第１の前記チューブ遮断機構が、第１の前記シリンジチューブを押圧する位置にスライド自在に支持されている第１押圧部材と、この第１押圧部材に第１の前記シリンジチューブを介して対向配置されている第１保持部材と、を有しており、
第２の前記チューブ遮断機構が、第２の前記シリンジチューブを押圧する位置にスライド自在に支持されている第２押圧部材と、この第２押圧部材に第２の前記シリンジチューブを介して対向配置されている第２保持部材と、を有しており、
前記開閉連動機構が、末端で回動自在に軸支されているクランク部材と、このクランク部材の先端と前記第１押圧部材とを連結している第１リンク部材と、前記クランク部材の先端と前記第２押圧部材とを連結している第２リンク部材と、を有している請求項２に記載の薬液注入装置。
【請求項６】
第１の前記チューブ遮断機構が、第１の前記シリンジチューブを押圧する位置にスライド自在に支持されている第１押圧部材と、この第１押圧部材に第１の前記シリンジチューブを介して対向配置されている第１保持部材と、を有しており、
第２の前記チューブ遮断機構が、第２の前記シリンジチューブを押圧する位置にスライド自在に支持されている第２押圧部材と、この第２押圧部材に第２の前記シリンジチューブを介して対向配置されている第２保持部材と、を有しており、
前記開閉連動機構が、前記第１押圧部材と前記第２押圧部材とが係合する凹凸が形成されていて回動自在に軸支されているカム部材を有している請求項２に記載の薬液注入装置。
【請求項７】
第１の前記シリンジチューブが遮断されたことを検知する第１遮断センサと、第２の前記シリンジチューブが遮断されたことを検知する第２遮断センサと、も有しており、
前記連動制御手段は、前記第１遮断センサが前記遮断を検知してから第２の前記シリンジ駆動機構を作動させるとともに前記第２遮断センサが前記遮断を検知してから第１の前記シリンジ駆動機構を作動させる請求項２ないし６の何れか一項に記載の薬液注入装置。
【請求項８】
前記薬液の移動を前記シリンジから前記被験者への方向に規制する一方弁が前記被験者チューブと複数の前記シリンジチューブとの少なくとも１個に設けられている請求項１ないし７の何れか一項に記載の薬液注入装置。
【発明の詳細な説明】
【０００１】
【発明の属する技術分野】
本発明は、被験者に薬液を注入する薬液注入装置に関し、特に、被験者に複数のシリンジから薬液を注入する薬液注入装置に関する。
【０００２】
【従来の技術】
現在、医療現場で利用されているＣＴ（Ｃｏｍｐｕｔｅｄ　Ｔｏｍｏｇｒａｐｈｙ）スキャナは、レントゲン撮影の応用により被験者の断層画像を撮像することができ、ＭＲＩ（Ｍａｇｎｅｔｉｃ　Ｒｅｓｏｎａｎｃｅ　Ｉｍａｇｉｎｇ）装置は、磁気共鳴効果により被験者の断層画像をリアルタイムに撮像することができ、アンギオ装置は、レントゲン撮影の応用により被験者の血管画像を撮像することができる。
【０００３】
上述のような装置を使用するとき、被験者に造影剤や生理食塩水などの薬液を注入することがあり、この注入を自動的に実行する薬液注入装置も実用化されている。ここで、このような薬液注入装置の一従来例を図１１を参照して以下に説明する。
【０００４】
ここで例示する薬液注入装置１は、交換自在な多数のシリンジ１０と１個の薬液注入装置２０からなり、薬液注入装置２０にはシリンジ１０が２個まで装着される。シリンジ１０は、１個のシリンダ部材１１と１個のピストン部材１２からなり、シリンダ部材１２は、末端面に開口した１個の穴部１３が内部に形成されている。
【０００５】
シリンダ部材１１の先端面は閉塞されて中央に中空の導管部１４が形成されており、この導管部１４の先端まで穴部１３が連通している。このシリンダ部材１１の穴部１３にピストン部材１２がスライド自在に挿入されており、このピストン部材１２とシリンダ部材１１との末端外周には、ピストンフランジ１５とシリンダフランジ１６とが各々形成されている。
【０００６】
薬液注入装置２０は、１個のシリンジ保持部材２１と２個のシリンジ駆動機構２２とを有しており、１個のシリンジ保持部材２１には、２個のシリンジ１０のシリンダ部材１１を個々に保持する２個の凹部２３が形成されている。この２個の凹部２３の各々の後方に２個のシリンジ駆動機構２２が個々に配置されており、これらのシリンジ駆動機構２２はシリンジ１０のピストン部材１２を保持してスライド移動させる。
【０００７】
なお、この薬液注入装置１は、１個の被験者チューブ３１の末端と２個のシリンジチューブ３２の先端とが１個のチューブ連結手段であるチューブ連結部材３３で連結された分岐チューブ３０も有しており、この分岐チューブ３０の２個のシリンジチューブ３２の末端が２個のシリンジ１０の導管部１４に個々に連結されている。この分岐チューブ３０の１個の被験者チューブ３１の先端には、例えば、延長チューブによりカテーテルが連結されており、このカテーテルが被験者に連結されている（図示せず）。
【０００８】
上述のような構成において、この従来例の薬液注入装置１では、１個の薬液注入装置２０により２個のシリンジ１０から２種類の薬液を被験者に注入することができるので、例えば、ＣＴスキャナにより断層画像が撮像される被験者に造影剤を注入してから生理食塩水で後押しするようなことができる。
【０００９】
【発明が解決しようとする課題】
しかし、上述の薬液注入装置１では、被験者と２個のシリンジ１０とが分岐チューブ３０で単純に連結されているので、２個のシリンジ１０の一方を駆動して被験者に薬液を注入するとき、その薬液が他方のシリンジ１０に逆流することがある。このような逆流を防止するため、分岐チューブ３０のチューブ連結部材３３に切換弁を内蔵しておくことや、分岐チューブ３０のシリンジチューブ３２に一方弁を挿入することも実施されている（図示せず）。
【００１０】
しかし、切換弁を内蔵した場合は、その手動操作が煩雑であり、遮断しているシリンジチューブ３２に連結されているシリンジ１０を駆動してしまう誤操作が発生することがある。また、薬液注入装置１では、被験者チューブ３１が被験者に適切に連結されていることを確認するため、シリンジ１０で被験者から血液を微量に吸入することがあるが、これがシリンジチューブ３２に一方弁を挿入した構造ではできない。
【００１１】
本発明は上述のような課題に鑑みてなされたものであり、被験者に複数種類の薬液を簡単に注入することができ、薬液の逆流を防止することができる薬液注入装置を提供することを目的とする。
【００１２】
【課題を解決するための手段】
本発明の薬液注入装置は、シリンダ部材にピストン部材がスライド自在に挿入されているシリンジから薬液を被験者に注入させる薬液注入装置であって、被験者チューブ、複数のシリンジチューブ、チューブ連結手段、シリンジ保持部材、複数のシリンジ駆動機構、複数のチューブ遮断機構、連動制御手段、を有している。
【００１３】
被験者チューブは、被験者に先端が連結され、複数のシリンジチューブは、複数のシリンジに末端が個々に連結される。チューブ連結手段は、被験者チューブの末端と複数のシリンジチューブの先端とを連結しており、シリンジ保持部材は、複数のシリンジを着脱自在に保持する。複数のシリンジ駆動機構は、シリンダ部材とピストン部材とを相対移動させて複数のシリンジに薬液の注入を個々に実行させ、複数のチューブ遮断機構は、複数のシリンジチューブを個々に開閉自在に遮断する。連動制御手段は、複数のチューブ遮断機構と複数のシリンジ駆動機構との動作を連動させ、１個のみ連通させるシリンジチューブと１個のみ駆動するシリンジとを対応させる。
【００１４】
従って、本発明の薬液注入装置では、被験者と複数のシリンジとが被験者チューブと複数のシリンジチューブとで連結されているが、複数のシリンジの１個から被験者に薬液が注入されるときは、他のシリンジに連結されているシリンジチューブは遮断されるので、１個のシリンジから被験者に注入される薬液が他のシリンジに逆流することがない。
【００１５】
なお、本発明で云う各種手段は、その機能を実現するように形成されていれば良く、例えば、所定の機能を発揮する専用のハードウェア、所定の機能がコンピュータプログラムにより付与されたデータ処理装置、コンピュータプログラムによりデータ処理装置の内部に実現された所定の機能、これらの組み合わせ、等として実現することができる。
【００１６】
また、本発明で云う各種の構成要素は、個々に独立した存在である必要もなく、複数の構成要素が１個の部材として形成されていること、ある構成要素が他の構成要素の一部であること、ある構成要素の一部と他の構成要素の一部とが重複していること、等も可能である。
【００１７】
【発明の実施の形態】
［実施の形態の構成］
本発明の実施の形態を図１ないし図５を参照して以下に説明する。なお、本実施の形態に関して前述した一従来例と同一の部分は、同一の名称を使用して詳細な説明は省略する。
【００１８】
本実施の形態の薬液注入装置１００は、図２に示すように、スタンド１０１の上端に装置本体１０２が装着されており、装置本体１０２には、操作パネル１０４と液晶ディスプレイ１０５とが搭載されている。この装置本体１０２の側部にはアーム１０６が装着されており、このアーム１０６の上端にシリンジ保持部材である注入ヘッド１１０が装着されている。
【００１９】
この注入ヘッド１１０は、図１に示すように、シリンジ保持部材１１１の上面に２つの凹部１１２が形成されており、これらの凹部１１２に第１および第２シリンジ２０１，２０２のシリンダ部材２１１が個々に着脱自在に保持される。なお、第１シリンジ２０１には薬液として高粘度の造影剤が収容されており、第２シリンジ２０２には薬液として低粘度の生理食塩水が収容されている（図示せず）。
【００２０】
注入ヘッド１１０の後部には、第１および第２のシリンジ駆動機構である第１および第２駆動機構１１３，１１４が内蔵されており、これら第１および第２駆動機構１１３，１１４は第１および第２シリンジ２０１，２０２のピストン部材２１２を個々に保持してスライド移動させる。
【００２１】
本形態の薬液注入装置１００でも、第１および第２のシリンジチューブである第１および第２チューブ２２１，２２２と被験者チューブ２２３とがチューブ連結手段であるチューブ連結部材２２４で連結されている分岐チューブ２２０により、第１および第２シリンジ２０１，２０２と被験者（図示せず）とが連結される。
【００２２】
そして、注入ヘッド１１０の前部には、第１および第２のチューブ遮断機構である第１および第２遮断機構１１５，１１６が設けられており、この第１および第２遮断機構１１５，１１６が第１および第２チューブ２２１，２２２を個々に開閉自在に遮断する。
【００２３】
より詳細には、図５に示すように、第１遮断機構１１５は、第１保持部材１２１と第１押圧部材１２２とを有しており、第２遮断機構１１６は、第２保持部材１２３と第２押圧部材１２４とを有している。第１保持部材１２１は、第１チューブ２２１を介して第１押圧部材１２２に対向する位置に配置されており、第２保持部材１２３は、第２チューブ２２２を介して第２押圧部材１２４に対向する位置に配置されている。
【００２４】
ただし、第１押圧部材１２２と第２押圧部材１２４とは、１個の押圧スライダ部材１２５の左右両端に一体に形成されており、この押圧スライダ部材１２５は、開閉連動機構（図示せず）により左右方向にスライド自在に支持されているので、第１および第２遮断機構１１５，１１６の開閉動作は相反するように連動されている。
【００２５】
なお、第１および第２押圧部材１２２，１２４は、第１および第２保持部材１２１，１２３と対向する部分が半円筒形の凸面に形成されており、第１および第２保持部材１２１，１２３は、第１および第２押圧部材１２２，１２４と対向する部分が半円筒形の凹面に形成されている。
【００２６】
また、本形態の薬液注入装置１００は、図４に示すように、連動制御手段である統合制御回路１３０を有しており、この統合制御回路１３０に、操作パネル１０４、液晶ディスプレイ１０５、第１駆動モータ１３１、第２駆動モータ１３２、第１遮断センサ１３３、第２遮断センサ１３４、連通切換モータ１３５、等が結線されている。
【００２７】
第１および第２駆動モータ１３１，１３２は、第１および第２駆動機構１１３，１１４を個々に動作させる駆動源であり、連通切換モータ１３５は、開閉連動機構を動作させる駆動源である。なお、連通切換モータ１３５は、例えば、ウォームギヤ（図示せず）で開閉連動機構の押圧スライダ部材１２５に連結されているので、この押圧スライダ部材１２５はスライド移動された位置に固定的に保持される。第１および第２遮断センサ１３３，１３４は、例えば、押圧スライダ部材１２５の位置を検出するフォトセンサ（図示せず）からなり、第１および第２遮断機構１１５，１１６の閉止を個々に検知する。
【００２８】
統合制御回路１３０は、いわゆるマイクロコンピュータからなり、実装されているコンピュータプログラムに対応して上述の各部を統合制御することにより、詳細には後述するが、第１および第２遮断機構１１５，１１６と第１および第２駆動機構１１３，１１４との動作を連動させ、１個のみ連通させる第１および第２チューブ２２１，２２２と１個のみ駆動する第１および第２シリンジ２０１，２０２とを対応させる。
【００２９】
なお、本実施の形態の薬液注入装置１００は、図３に示すように、ＣＴスキャナ３００の撮像ユニット３０１の近傍で使用され、必要によりＣＴスキャナ３００の制御ユニット３０２に接続される。この制御ユニット３０２はコンピュータシステムからなり、撮像ユニット３０１を動作制御するとともに断層画像を表示する。
【００３０】
［実施の形態の動作］
上述のような構成において、本形態の薬液注入装置１００は、例えば、ＣＴスキャナ３００で撮像される被験者に、薬液である造影剤および生理食塩水を自在に注入することができる。その場合、作業者は被験者に分岐チューブ２２０の被験者チューブ２２３を連結するとともに、この分岐チューブ２２０の第１および第２チューブ２２１，２２２を第１および第２シリンジ２０１，２０２に連結する。
【００３１】
そして、これら第１および第２シリンジ２０１，２０２を薬液注入装置１００の注入ヘッド１１０の凹部１１２に装着するとともに、第１および第２チューブ２２１，２２２を注入ヘッド１１０の第１および第２遮断機構１１５，１１６に挿通させる。
【００３２】
このような状態で、例えば、第１シリンジ２０１から被験者に造影剤を注入する場合、作業者は薬液注入装置１００の操作パネル１０４に所定操作を実行する。すると、図６に示すように、この操作を検知した統合制御回路１３０は（ステップＳ１）、第２遮断センサ１３４が第２遮断機構１１６の閉止を検知するまで連通切換モータ１３５を正転させる（ステップＳ２，Ｓ３）。
【００３３】
このような状態で、統合制御回路１３０は、第１駆動機構１１３の第１駆動モータ１３１を作動させて第１シリンジ２０１から被験者に造影剤を注入させ（ステップＳ４）、例えば、作業者が操作パネル１０４に作業停止を入力操作したり、第１駆動機構１１３が設定位置まで動作することにより、第１駆動機構１１３を停止させて造影剤の注入を停止させる（ステップＳ５）。
【００３４】
同様に、第２シリンジ２０２から被験者に生理食塩水を注入する場合も、操作パネル１０４の所定操作などを検知した統合制御回路１３０が（ステップＳ６）、第１遮断センサ１３３が第１遮断機構１１５の閉止を検知するまで連通切換モータ１３５を逆転させてから（ステップＳ７，Ｓ８）、第２駆動機構１１４を作動させて第２シリンジ２０２から被験者に生理食塩水を注入させる（ステップＳ９，Ｓ１０）。
【００３５】
［第１の形態の効果］
本形態の薬液注入装置１００では、上述のように被験者と第１および第２シリンジ２０１，２０２とを被験者チューブ２２３と第１および第２チューブ２２１，２２２とで連結することにより、第１および第２シリンジ２０１，２０２から被験者に造影剤と生理食塩水とを自在に注入することができる。
【００３６】
それでいて、第１シリンジ２０１から被験者に造影剤を注入するときは、図５（ｂ）に示すように、第２シリンジ２０２に連結されている第２チューブ２２２は遮断されるので、第１シリンジ２０１の造影剤が第２シリンジ２０２に逆流することがない。
【００３７】
同様に、第２シリンジ２０２から被験者に生理食塩水を注入するときは、図５（ａ）に示すように、第１シリンジ２０１に連結されている第１チューブ２２１は遮断されるので、第２シリンジ２０２の生理食塩水が第１シリンジ２０１に逆流することがない。
【００３８】
特に、第１および第２押圧部材１２２，１２４と第１および第２保持部材１２１，１２３とが円筒状の凸面と凹面とで第１および第２チューブ２２１，２２２を遮断するので、さらに確実に造影剤や生理食塩水の逆流を防止することができる。
【００３９】
しかも、本形態の薬液注入装置１００では、上述の逆流を防止するために一方弁を使用しないので、例えば、被験者チューブ２２３が被験者に適切に連結されているかを確認するために、第２シリンジ２０２で被験者から微量に血液を吸入するようなことも可能である。この場合も吸入に使用しない第１チューブ２２１は遮断するので、第１シリンジ２０１から第２シリンジ２０２に造影剤が吸入されることを防止できる。
【００４０】
さらに、本形態の薬液注入装置１００では、上述の第１および第２シリンジ２０１，２０２の駆動と第１および第２チューブ２２１，２２２の開閉とが自動的に連動して制御されるので、例えば、第１チューブ２２１を遮断したまま第１シリンジ２０１を駆動するような誤操作が発生することがなく、切換弁を手動操作するような煩雑な作業が必要ない。
【００４１】
しかも、本形態の薬液注入装置１００では、第１および第２遮断機構１１５，１１６は一体に形成されており、第１遮断機構１１５が第１チューブ２２１を遮断するときは第２遮断機構１１６は第２チューブ２２２を確実に開放し、第２遮断機構１１６が第２チューブ２２２を遮断するときは第１遮断機構１１５は第１チューブ２２１を確実に開放するので、簡単な構造で第１および第２チューブ２２１，２２２の選択的な遮断を確実に実行することができる。
【００４２】
［実施の形態の変形例］
本発明は上記形態に限定されるものではなく、その要旨を逸脱しない範囲で各種の変形を許容する。例えば、上記形態では２個のシリンジ２０１，２０２が装着される薬液注入装置１００を例示したが、３個以上のシリンジが装着される薬液注入装置（図示せず）も実施可能である。
【００４３】
また、上記形態では第１および第２チューブ２２１，２２２と被験者チューブ２２３とが別体のチューブ連結部材２２４により一体に連結されていることを例示したが、第１および第２チューブ２２１，２２２と被験者チューブ２２３とを一体に形成しておくことも可能である。
【００４４】
さらに、上記形態では第１および第２チューブ２２１，２２２と被験者チューブ２２３との何れにも一方弁が内蔵されていないことを例示したが、その少なくとも一つに一方弁を内蔵することも可能である。ただし、前述のように被験者チューブ２２３が被験者に適切に連結されているかを確認するために、第２シリンジ２０２で被験者から微量に血液を吸入するような場合、第１チューブ２２１のみに一方弁を内蔵しておくことが好適である。
【００４５】
また、上記形態では第１および第２遮断機構１１５，１１６が一体に形成されていて第１および第２チューブ２２１，２２２が選択的に遮断されることを例示したが、第１および第２遮断機構を別個に形成して個々に動作させることも可能である。
【００４６】
その場合、前述のように第１および第２チューブ２２１，２２２を選択的に開閉することも可能であるが、例えば、第１および第２チューブ２２１，２２２の両方を遮断した状態を通常とし、第１および第２シリンジ２０１，２０２の一方を駆動するときのみ対応する第１および第２チューブ２２１，２２２の一方を開放することが好適である。
【００４７】
さらに、上記形態では開閉連動機構の押圧スライダ部材１２５と連通切換モータ１３５とがウォームギヤで連結されていることにより、連通切換モータ１３５を停止させると押圧スライダ部材１２５が固定的に保持されることを例示したが、例えば、連通切換モータ１３５をステッピングモータとすることで押圧スライダ部材１２５を保持することも可能であり、押圧スライダ部材１２５を保持する専用のロック機構（図示せず）を追加することも可能である。
【００４８】
また、上記形態では第１および第２押圧部材１２２，１２４と第１および第２保持部材１２１，１２３とが第１および第２チューブ２２１，２２２を遮断する部分が円筒状の凸面と凹面からなることを例示したが、これを平面とすることも可能であり、Ｓ字形状などとすることも可能である。
【００４９】
さらに、上記形態では開閉連動機構がスライド自在に支持された押圧スライダ部材１２５で第１および第２チューブ２２１，２２２を選択的に遮断することを例示したが、例えば、図７に示すように、回動自在に軸支された押圧回動部材１４１で第１および第２チューブ２２１，２２２を選択的に遮断することも可能である。
【００５０】
また、図８に示すように、第１押圧部材１２２と第２押圧部材１２４とをガイドレール（図示せず）などでスライド自在に支持し、開閉連動機構１４３のクランク部材１４４に第１リンク部材１４５と第２リンク部材１４６とで連結することも可能である。
【００５１】
この開閉連動機構１４３では、クランク部材１４４が円盤状に形成されており、その盤面に形成された凸部１４７が機械スイッチからなる第１および第２遮断センサ１４８，１４９に当接するので、簡単な構造で確実に第１および第２チューブ２２１，２２２の選択的な遮断を検知することができる。
【００５２】
さらに、図９および図１０に示すように、第１押圧部材１６１と第２押圧部材１６２とを同一方向にスライド自在に支持して第１保持部材１６３と第２保持部材１６４とに各々対向させ、開閉連動機構１６６の回転自在なカム部材１６７の凹凸が形成されている盤面に係合させることも可能である。
【００５３】
また、この開閉連動機構１６６のように、カム部材１６７の凸部１６８を第１遮断センサ１３３と第２遮断センサ１３４とで検知することも可能であり、第１押圧部材１６１と第２押圧部材１６２との凸部１６９，１７０を第１遮断センサ１３３と第２遮断センサ１３４とで直接に検知することも可能である。
【００５４】
なお、この開閉連動機構１６６では、第１および第２押圧部材１６１，１６２は末端がカム部材１６７の盤面の凹部１７３に位置することで第１および第２チューブ２２１，２２２の遮断を解除するので、一方の遮断が完了してから他方の遮断を解除させることができ、より確実に造影剤などの逆流を防止することができる。
【００５５】
しかも、この開閉連動機構１６６では、第１および第２押圧部材１６１，１６２の両方が同時に位置する凹部１７４もカム部材１６７に形成しているので、所望により第１および第２チューブ２２１，２２２の遮断を同時に解除することもでき、第１および第２チューブ２２１，２２２の装填が容易である。
【００５６】
このような動作まで認識するためには、前述のように第１押圧部材１６１と第２押圧部材１６２との凸部１６９，１７０を第１遮断センサ１３３と第２遮断センサ１３４とで直接に検知することが好適であるが、第１および第２押圧部材１６１，１６２の両方が凹部１７４に位置している状態を検知する専用の解除検知センサ１７６を設けることも可能である。
【００５７】
【発明の効果】
本発明の薬液注入装置では、被験者と複数のシリンジとが被験者チューブと複数のシリンジチューブとで連結されているが、複数のシリンジの１個から被験者に薬液が注入されるときは、他のシリンジに連結されているシリンジチューブは遮断されることにより、１個のシリンジから被験者に注入される薬液が他のシリンジに逆流することを防止できる。
【図面の簡単な説明】
【図１】本発明の実施の形態の薬液注入装置の要部の外観を示す斜視図である。
【図２】薬液注入装置の全体の外観を示す斜視図である。
【図３】薬液注入装置およびＣＴスキャナの外観を示す斜視図である。
【図４】薬液注入装置の回路構造を示すブロック図である。
【図５】薬液注入装置の要部の動作を示す模式的な平面図である。
【図６】薬液注入装置による薬液注入方法を示すフローチャートである。
【図７】第１の変形例の要部を示す平面図である。
【図８】第２の変形例の要部を示す平面図である。
【図９】第３の変形例の要部を示す斜視図である。
【図１０】第３の変形例の要部を示す背面図である。
【図１１】一従来例の薬液注入装置の外観を示す斜視図である。
【符号の説明】
１００　　薬液注入装置
１１１　　シリンジ保持部材
１１３　　第１のシリンジ駆動機構である第１駆動機構
１１４　　第２のシリンジ駆動機構である第２駆動機構
１１５　　第１のチューブ遮断機構である第１遮断機構
１１６　　第２のチューブ遮断機構である第２遮断機構
１２１，１６３　　第１保持部材
１２２，１６１　　第１押圧部材
１２３，１６４　　第２保持部材
１２４，１６２　　第２押圧部材
１２５　　押圧スライダ部材
１３３，１４８　　第１遮断センサ
１３４，１４９　　第２遮断センサ
１４１　　押圧回動部材
１４３，１６６　　開閉連動機構
１４４　　クランク部材
１４５　　第１リンク部材
１４６　　第２リンク部材
１６７　　カム部材
２０１　　第１シリンジ
２０２　　第２シリンジ
２１１　　シリンダ部材
２１２　　ピストン部材
２２１　　第１のシリンジチューブである第１チューブ
２２２　　第２のシリンジチューブである第２チューブ
２２３　　被験者チューブ
２２４　　チューブ連結手段であるチューブ連結部材
【図１】
2004065736.tif 000003
【図２】
2004065736.tif 000004
【図３】
2004065736.tif 000005
【図４】
2004065736.tif 000006
【図５】
2004065736.tif 000007
【図６】
2004065736.tif 000008
【図７】
2004065736.tif 000009
【図８】
2004065736.tif 000010
【図９】
2004065736.tif 000011
【図１０】
2004065736.tif 000012
【図１１】
2004065736.tif 000013